(57)【要約】      （修正有）【課題】加齢によって知力や記憶力が低下した高齢者、あるいはまた認知症によって知力が著しく低下した高齢者が、日常生活の中で使う物品を紛失した場合に、このような紛失された物品を容易にかつ確実に探索することができるようにする。【解決手段】無線で信号の授受を行なう親機１７と子機１８とから構成され、子機１８が紛失する可能性がある物品に取付けられる。そして、親機１７の入力操作部のキー操作を行なうことによって、親機１７が所定のコードに対応する信号を送信する。するとこの信号を子機１８が受信し、この子機１８に設けられている電子ブザーが告知音を発し、あるいはまたＬＥＤから成る表示部が告知光を発する。従ってこのような告知音、あるいは告知光によって、紛失した物品の探索が可能になる。【選択図】図２
0003133228.tif 000002
【実用新案登録請求の範囲】
【請求項１】
所定の信号を発する親機と、
紛失する可能性がある物品に取付けられ、前記親機が発する信号を受信するとともに、前記信号の受信に連動して告知動作を行なう子機と、
を有する紛失物探索装置。
【請求項２】
前記親機が発する信号が電波によって送出されることを特徴とする請求項１に記載の紛失物探索装置。
【請求項３】
前記親機と前記子機とが、近距離の無線通信によって信号の授受を行なうことを特徴とする請求項１に記載の紛失物探索装置。
【請求項４】
前記親機と前記子機とが、Ｂｌｕｅｔｏｏｔｈ（登録商標）方式の無線通信によって信号の授受を行なうことを特徴とする請求項１に記載の紛失物探索装置。
【請求項５】
前記親機が発する信号に前記子機または該子機が取付けられる物品の識別コードが付加されていることを特徴とする請求項１に記載の紛失物探索装置。
【請求項６】
前記子機の告知動作が音声によって行なわれることを特徴とする請求項１に記載の紛失物探索装置。
【請求項７】
前記子機に電子ブザーが取付けられ、該電子ブザーが告知音を発することを特徴とする請求項６に記載の紛失物探索装置。
【請求項８】
前記子機に発光素子が取付けられ、該発光素子が光を発して告知を行なうことを特徴とする請求項１に記載の紛失物探索装置。
【請求項９】
前記子機が受信した信号に付加されているコードが前記子機または該子機が取付けられる物品の識別コードと一致したときに告知動作が行なわれることを特徴とする請求項１に記載の紛失物探索装置。
【請求項１０】
前記子機が取付けられる物品がテレビジョン受像機のコマンダ、エアコンのコマンダ、眼鏡ケース、入歯ケース、キーケース、キーホルダ、財布、名刺入れ、カード入れ、電子手帳の何れかであることを特徴とする請求項１に記載の紛失物探索装置。
【考案の詳細な説明】
【技術分野】
【０００１】
本考案は紛失物探索装置に係り、とくに日常生活において使われる物品であって、紛失し易い物品を容易に探索できるようにした紛失物探索装置に関する。
【背景技術】
【０００２】
長寿命化と、平均寿命の延長とによって、高齢化社会が出現している。このような高齢化社会においては、多くの高齢者が自宅や介護施設で日常生活を営むことになるが、とくに加齢に伴う記憶力や知力の低下が問題になる。極端な場合には、認知症になり、事物の判断識別が困難になる場合がある。
【０００３】
このような高齢者は、日常生活の中で色々な物を紛失することになる。例えばテレビジョン受像機によって放送を観る際に用いるチャンネル選択用のコマンダや、眼鏡ケース、入歯ケース、財布、カード入れ等を紛失しがちである。そしてこれらの物が紛失した場合には、高齢者本人や、その家族、あるいは介護施設の介護人が紛失物の探索を行なわなければならない。ところが知力が低下した高齢者の紛失物の探索は非常に面倒である。従って高齢者の周囲にいる家族や介護者にとって、紛失物の探索は大きな負担になる。さらには介護施設での人手不足の中で、大きな問題になっている。
【特許文献１】特開２００６−１３５９０５号公報
【特許文献２】特開２００７−００４４４１号公報
【考案の開示】
【考案が解決しようとする課題】
【０００４】
本願考案は、紛失した物品を容易に探索できるようにした紛失物探索装置を提供することである。
【０００５】
本願考案の別の課題は、紛失物がどこにあるか分からなくても、親機からの電波を受信すると、紛失物に取付けられている子機が告知動作を行なうようにした紛失物探索装置を提供することである。
【０００６】
本願考案のさらに別の課題は、親機が信号を発した場合に、紛失物に取付けられている子機が告知音を発生し、これによって紛失物の所在を容易に探索できるようにした紛失物探索装置を提供することである。
【０００７】
本願考案のさらに別の課題は、目的とする紛失物が確実に探索されるように、識別コードによって対応する紛失物のみが告知音を発するようにした紛失物探索装置を提供することである。
【０００８】
本願考案の上記の課題および別の課題は、以下に述べる本願考案の技術的思想およびその実施の形態によって明らかにされる。
【課題を解決するための手段】
【０００９】
本願の主要な考案は、所定の信号を発する親機と、
紛失する可能性がある物品に取付けられ、前記親機が発する信号を受信するとともに、前記信号の受信に連動して告知動作を行なう子機と、
を有する紛失物探索装置に関するものである。
【００１０】
ここで、前記親機が発する信号が電波によって送出されてよい。また前記親機と前記子機とが、近距離の無線通信によって信号の授受を行なってよい。また前記親機と前記子機とが、Ｂｌｕｅｔｏｏｔｈ（登録商標）方式の無線通信によって信号の授受を行なってよい。また前記親機が発する信号に前記子機または該子機が取付けられる物品の識別コードが付加されてよい。
【００１１】
またここで、前記子機の告知動作が音声によって行なわれてよい。また前記子機に電子ブザーが取付けられ、該電子ブザーが告知音を発するようにしてよい。また前記子機に発光素子が取付けられ、該発光素子が光を発して告知を行なってよい。また前記子機が受信した信号に付加されているコードが前記子機または該子機が取付けられる物品の識別コードと一致したときに告知動作が行なわれてよい。
【００１２】
またここで、前記子機が取付けられる物品がテレビジョン受像機のコマンダ、エアコンのコマンダ、眼鏡ケース、入歯ケース、キーケース、キーホルダ、財布、名刺入れ、カード入れ、電子手帳の何れかであってよい。
【考案の効果】
【００１３】
本願の主要な考案は、所定の信号を発する親機と、紛失する可能性がある物品に取付けられ、親機が発する信号を受信するとともに、信号の受信に連動して告知動作を行なう子機と、を有するようにしたものである。
【００１４】
従ってこのような紛失物探索装置によると、親機が信号を発すると、この信号を紛失物に取付けられている子機が受信し、この子機が信号の受信に連動して告知動作を行なうことになり、このような告知動作によって、紛失物を容易に探索できるようになる。
【考案を実施するための最良の形態】
【００１５】
以下本願考案を図示の一実施の形態によって説明する。図１は本実施の形態の紛失物探索装置を備えるコマンダを用いてテレビジョン受像機を視聴している状態を示している。テレビジョン受像機１０は、液晶表示パネル、プラズマディスプレイパネル等から構成されるとともに、その下部に取付けられているスタンド１１によって床面に載置されるようになっている。そしてこのテレビジョン受像機１０の放送電波のチャンネルの選択や、音量の調整のために、コマンダ１２が用いられる。コマンダ１２は、例えば赤外線光投器を備え、この赤外線に重畳された信号をテレビジョン受像機１０の受光部１３が受光することによって、各種の制御動作が行なわれるようになっている。
【００１６】
次に紛失物探索装置の構成を説明すると、テレビジョン受像機１０の背面側であってその側部には、小型のポケット１６が設けられ、このポケット１６に紛失物探索装置の親機１７が保持されるようになっている。これに対してコマンダ１２には、小型のケースから成る子機１８が取付けられている。
【００１７】
図２および図３に示すように、親機１７と子機１８とは、近距離の無線通信手段、例えばＢｌｕｅｔｏｏｔｈ（登録商標）方式の無線通信によって電波で相互に信号の授受を行なう通信システムを構成している。従って、親機１７が信号電波を発生すると、この信号電波が、コマンダ１２のキャビネット上に取付けられている子機１８によって受信され、これによって子機１８が対応する告知動作を行なうようにしている。この告知動作は、子機１８に内蔵された電子ブザーによる告知音であってよく、親機１７から信号電波が送信されると、子機１８が対応する告知音を発生するようにしている。なお併せて、子機１８は、ＬＥＤによる発光動作を行なってもよい。
【００１８】
図３に示すように、Ｂｌｕｅｔｏｏｔｈにおいては、親機１７に対して複数の子機１８が連動するようになっており、それぞれの子機１８は、紛失する可能性がある各種の物品に取付けられる。ここで子機１８あるいはこの子機１８が取付けられる物品について、それぞれの識別コードを保有している。従って親機１７は、信号に識別コードを付加して送信することにより、識別コードが一致する目的とする子機１８のみが告知動作を行なうようにする。従って、テレビジョン受像機のコマンダ１２以外に、エアコンのコマンダ、眼鏡ケース、入歯ケース、キーケース、キーホルダ、財布、名刺入れ、カード入れ等の各種の物品について、それぞれ識別コードが異なる子機１８を取付けておくと、目的とする紛失物を選択的に探索することが可能になる。すなわち親機１７は、取付けられている操作釦によって探索する物品を選択し、この物品に対応する識別コードを付加した信号を送信することによって、目的とする物品に取付けられている子機１８が告知動作を行なうことになる。従って、目的とする物品以外の物品が不必要に反応することが防止される。
【００１９】
次にこのような紛失物探索装置のシステム構成を説明する。図４は親機１７の構成を示しており、この親機１７のワンチップマイコンモジュールは８ビットマイコンから成るＭＰＵ２２を備えている。ＭＰＵ２２には所定の周波数のクロックパルスを供給するクロック２３が接続される。また上記ＭＰＵ２２は、バスコントローラ２４を介してバス２５に接続される。バスコントローラ２４は、バス２５上のデータの流れの制御を行なう。またバス２５にはフラッシュメモリから成るＦＲＡＭ２６と、ＤＲＡＭ２７とがそれぞれ接続される。ＦＲＡＭ２６は、不揮発性のメモリであって、プログラム等を格納している。これに対してＤＲＡＭ２７は、ＭＰＵ２２のワーキングメモリを構成し、プログラムの展開領域を構成する。またバス２５には、Ｉ／Ｏポート２８が接続されるとともに、このＩ／Ｏポート２８には入力操作部２９と、表示部３０とが接続される。入力操作部２９は、複数の押釦を備え、この親機１７に対して所定の入力動作を行なうためのものである。表示部３０は、例えば液晶表示パネルあるいはＬＥＤから成り、所定の表示動作を行なうようになっている。
【００２０】
次にＢｌｕｅｔｏｏｔｈモジュールは、Ｂｌｕｅｔｏｏｔｈコアモジュール３３を備える。このＢｌｕｅｔｏｏｔｈコアモジュール３３は、電波の送受信回路とデータのやり取りのための回路との組合わせから構成されている。そしてアンテナ３４が接続されている。またコアモジュール３３はインターフェース３５を介して、ワンチップマイコンモジュールのＩ／Ｏポート２８に接続される。
【００２１】
次にこの親機の電源部の構成を説明すると、親機１７は、電源回路３６を備え、この電源回路３６からの出力によってワンチップマイコンモジュールとＢｌｕｅｔｏｏｔｈモジュールを駆動するようにしている。電源回路３６には電源入力部３７が設けられ、この電源入力部３７を通して電池３８から電源が供給される。また電源入力部３７にはＡＣアダプタ３９が接続され、外部の商用電源を降圧して電源入力部３７に供給するようにしている。
【００２２】
次に図５によって、子機１８のハードウエアの構成を説明する。子機１８は、８ビットマイコンから成るＭＰＵ４２を備えるとともに、この８ビットマイコン４２に対して、クロック４３からクロックパルスが供給される。またＭＰＵ４２には、バスコントローラ４４が接続されるとともに、バスコントローラ４４にバス４５が接続されている。バス４５上のデータの流れがバスコントローラ４４で制御される。バス４５には、フラッシュメモリから構成されるＦＲＡＭ４６と、ＤＲＡＭ４７とがそれぞれ接続される。ＦＲＡＭ４６は、プログラムや関数等を格納しておく不揮発性メモリである。これに対してＤＲＡＭ４７は、プログラムの展開領域であって、ＭＰＵ４２が演算動作を行なう際のレジスタを構成する。またバス４５にはＩ／Ｏポート４８が接続され、このＩ／Ｏポート４８によって外部との間でのデータのやり取りを行なうようにしている。そしてＩ／Ｏポート４８には電子ブザー４９と、表示部５０とが接続される。電子ブザー４９は告知音を発生するデバイスを構成している。また表示部５０は、発光動作を行なうＬＥＤ５０によって構成されている。
【００２３】
次にこの子機１８のＢｌｕｅｔｏｏｔｈモジュールの構成を説明すると、ここではＢｌｕｅｔｏｏｔｈコアモジュール５３が設けられている。Ｂｌｕｅｔｏｏｔｈコアモジュール５３は、電波の送受信回路と、データの授受を行なう回路とを含んでおり、しかも電波の送受信を行なう回路にアンテナ５４が接続される。またＢｌｕｅｔｏｏｔｈモジュール５３はインターフェース５５に接続されている。インターフェース５５は、ワンチップマイコンモジュールのＩ／Ｏポート４８に接続され、ワンチップマイコンモジュールとの間でのデータのやり取りを行なうようになっている。
【００２４】
次に子機１８の電源部の構成を説明すると、子機１８は電源回路５６を備える。電源回路５６には電源入力部５７が接続されるとともに、この電源入力部５７に電池５８が接続されるようになっている。
【００２５】
次に親機１７の動作を図６によって説明する。この親機１７の入力操作部２９のキーを操作すると、ＭＰＵ２２が送信信号に対応するコードを生成し、このコードが通信データに変換される。そしてこの通信データに、探索の目的物、あるいはその目的物に対応した子機の識別コードを付加することによって、送信データが生成される。このような送信データは、図４に示すＢｌｕｅｔｏｏｔｈモジュールのＢｌｕｅｔｏｏｔｈコアモジュール３３に送信され、アンテナ３４から電波として送信される。
【００２６】
これに対して、親機１７が複数の子機１８の内の１つからアンテナ３４を介してそのコアモジュール３３がデータを受信した場合には、この受信データからヘッダーおよび識別信号を除去することによって、受信データを取出す。そして受信データをデコードすることによってコード解析を行ない、受信した信号の中身を抽出する。そしてこのような信号の中身に応じて、ＭＰＵ２２は、表示部３０に対して所定の表示を行なう。このような表示は、例えば目的とする探索物から対応する信号を受信したかどうかの表示、あるいは対応する物品が見つかったかどうかの表示である。
【００２７】
次に子機１８の動作を図７によって説明する。この子機１８のＢｌｕｅｔｏｏｔｈモジュールがアンテナ５４によって親機１７からの信号を受信した場合には、その信号から識別情報とヘッダーとを除去し、デコードしてコードに変換する。そしてこのようなコードを解析し、送信された情報の中身を解析する。そしてワンチップマイコンを構成するＭＰＵ４２は、上記のコードから、この子機の識別情報と一致しているかどうかの判別を行なうとともに、一致している場合には、信号の中身に応じた処理を行なう。一般的には、探索動作の場合には、該当する識別コードが付与された子機１８は、ＭＰＵ４２からの指示に従って、電子ブザー４９を作動させる。さらには表示用のＬＥＤ５０を点灯させる。このような電子ブザー４９の作動とＬＥＤ５０の点灯とによって、告知動作が行なわれる。
【００２８】
この後に、子機１８は、返信コードを生成し、この返信コードに識別コードとヘッダーとを付加し、エンコーダによって送信データの生成を行なう。そして生成された送信データが、ｂｌｕｅｔｏｏｔｈコアモジュール５３によって、アンテナ５４を介して電波として送信される。このような電波が、親機１７によって受信される。
【００２９】
このように本実施の形態の紛失物探索装置は、無くなり易いテレビジョン受像機やエアコンのコマンダ、眼鏡ケース、入歯ケース、キーホルダ、財布、定期入れ、名刺入れ、カード入れ、電子手帳等に広く利用することが可能であって、これらの物品を無くした場合に簡単に見つけることができるようにしている。
【００３０】
すなわち送信機を構成する親機１７の入力操作部２９のキーを操作することによって、親機１７から子機１８に対して所定のコードに対応する信号が発生される。すると子機１８のＢｌｕｅｔｏｏｔｈモジュールがこの電波を受信するとともに、電波に付加されている識別コードを判別し、識別コードが一致している場合には、対応する物品に取付けられている子機１８が告知音を発する。なお識別コードを付加しないで送信を行なう場合には、総ての子機が同時に告知音を発することになる。
【００３１】
このような紛失物探索装置は、テレビジョン受像機のリモコン以外に、各種の物品であって、紛失し易い物品に取付けることができる。また子機１８の電源回路５６を駆動する電池５８として、偏平な釦電池を用いることにより、子機１８を極めて小型のデバイスとすることができる。また上述の親機１７を、図１に示すように、テレビジョン受像機１０の背面側のポケット１６の部分に収納保持しておくことによって、親機１７自体の紛失が防止されるようになる。従ってこのような紛失物探索装置は、知力が低下して記憶力が低下した老人がいる家庭において有用である。あるいはまた認知症等の高齢者を介護する介護施設で用いるのに好適である。
【００３２】
なお上記親機１７と子機１８とは、近距離通信のセンサーネットワークを構成しており、２．４ＧＨｚ帯のＢｌｕｅｔｏｏｔｈやＺｉｇＢｅｅ、ＵＷＢ（Ｕｌｔｒａ  Ｗｉｄｅ  Ｂａｎｄ）、微弱無線、特定小電力無線等を用いることができる。従って必ずしも、このようなセンサーネットワークは、Ｂｌｕｅｔｏｏｔｈ方式に限定されるものではない。
【００３３】
以上本願考案を図示の実施の形態によって説明したが、本願考案は上記実施の形態によって限定されることなく、本願考案の技術的思想の範囲内において各種の変更が可能である。例えば上記実施の形態によって探索される物品は、必ずしも羅列された物に限定されることなく、その他各種の紛失の可能性がある物品に広く適用することができる。
【産業上の利用可能性】
【００３４】
本願考案は、加齢に伴う知力の低下、あるいはまた認知症による知力の低下によって日常生活の中で紛失した物品を探すのに好適な紛失物探索装置として広く利用することができる。
【図面の簡単な説明】
【００３５】
【図１】テレビジョン受像機に対するコマンダの操作を示す斜視図である。
【図２】紛失物探索装置を構成する親機と子機との関係を示す斜視図である。
【図３】紛失物探索装置の全体のシステム構成を示すブロック図である。
【図４】親機のハードウエアの構成を示すブロック図である。
【図５】子機のハードウエアの構成を示すブロック図である。
【図６】親機の動作を示すフロー図である。
【図７】子機の動作を示すフロー図である。
【符号の説明】
【００３６】
１０  テレビジョン受像機
１１  スタンド
１２  コマンダ
１３  受光部
１６  ポケット
１７  親機
１８  子機
２２  ＭＰＵ（８ビットマイコン）
２３  クロック
２４  バスコントローラ
２５  バス
２６  ＦＲＡＭ
２７  ＤＲＡＭ
２８  Ｉ／Ｏポート
２９  入力操作部
３０  表示部
３３  Ｂｌｕｅｔｏｏｔｈコアモジュール
３４  アンテナ
３５  インターフェース
３６  電源回路
３７  電源入力部
３８  電池
３９  ＡＣアダプタ
４２  ＭＰＵ（８ビットマイコン）
４３  クロック
４４  バスコントローラ
４５  バス
４６  ＦＲＡＭ
４７  ＤＲＡＭ
４８  Ｉ／Ｏポート
４９  電子ブザー
５０  表示部（ＬＥＤ）
５３  Ｂｌｕｅｔｏｏｔｈコアモジュール
５４  アンテナ
５５  インターフェース
５６  電源回路
５７  電源入力部
５８  電池
【図１】
0003133228.tif 000003
【図２】
0003133228.tif 000004
【図３】
0003133228.tif 000005
【図４】
0003133228.tif 000006
【図５】
0003133228.tif 000007
【図６】
0003133228.tif 000008
【図７】
0003133228.tif 000009